(57)【要約】  デジタル通信のための方法が、UEが第2の通信コントローラに伝送した初期アップリンクメッセージの第1の構成情報を受信するステップであって、第1の構成情報は、第1のアップリンクリソースを示す第1のアップリンクリソース割り当てインジケータと、伝送電力レベルを示す伝送電力インジケータとを含み、第1の構成情報は第1の通信コントローラから受信される、ステップと、第1の構成情報に従って初期アップリンクメッセージを伝送するステップと、を含む。
2019512959.tif 000002
【特許請求の範囲】
【請求項１】
デジタル通信のための方法であって、前記方法は、
ユーザ機器（UE）によって、前記UEが第2の通信コントローラに伝送した初期アップリンクメッセージの第1の構成情報を受信するステップであって、前記第1の構成情報は、第1のアップリンクリソースを示す第1のアップリンクリソース割り当てインジケータと、伝送電力レベルを示す伝送電力インジケータとを含み、前記第1の構成情報は第1の通信コントローラから受信される、ステップと、
前記UEによって、前記第1の構成情報に従って前記初期アップリンクメッセージを伝送するステップと
を含む、方法。
【請求項２】
前記伝送電力レベルが、前記第2の通信コントローラによって指定されるか、または前記第1および第2の通信コントローラによってネゴシエートされる、請求項1に記載の方法。
【請求項３】
前記UEによって、前記伝送電力インジケータの決定に関与するステップ
をさらに含む、請求項1に記載の方法。
【請求項４】
前記伝送電力レベルの決定に関与する前記ステップが、
前記UEによって、前記第2の通信コントローラが伝送した基準シーケンスを測定するステップと、
前記UEによって、前記測定された基準シーケンスに従って測定報告を伝送するステップと
を含む、請求項3に記載の方法。
【請求項５】
前記伝送電力レベルの決定に関与する前記ステップが、
前記UEによって、アップリンク測定シーケンス伝送のための第2の構成情報を受信するステップと、
前記UEによって、前記アップリンク測定シーケンス伝送のための前記第2の構成情報に従って基準シーケンスを伝送するステップと
をさらに含む、請求項3に記載の方法。
【請求項６】
前記UEによって、前記第2の通信コントローラと前記UEとの間のチャネルのダウンリンク経路損失を測定するステップと、
前記UEによって、前記ダウンリンク経路損失および前記第1の構成情報に従って前記初期アップリンクメッセージのための伝送電力レベルを調整するステップと
をさらに含む、請求項1に記載の方法。
【請求項７】
前記UEによって、前記初期アップリンクメッセージを伝送するステップの前に、前記第2の通信コントローラとのダウンリンク同期を実行するステップ
をさらに含む、請求項1に記載の方法。
【請求項８】
前記UEによって、前記第1の構成情報を受信するステップの前に、ハイブリッドタイミング情報の決定に関与するステップ
をさらに含む、請求項1に記載の方法。
【請求項９】
前記ハイブリッドタイミング情報の決定に関与する前記ステップが、
前記UEによって、前記UEが伝送したアップリンクタイミングメッセージのための前記第1の通信コントローラから第3の構成情報を受信するステップであって、前記第3の構成情報は、第2のアップリンクリソース割り当てインジケータおよびタイミングシーケンスインジケータを含む、ステップと、
前記UEによって、前記第3の構成情報に従ってタイミングシーケンスを伝送するステップと
を含む、請求項8に記載の方法。
【請求項１０】
前記第1の構成情報が前記ハイブリッドタイミング情報をさらに含み、前記方法が、
前記UEによって、前記ハイブリッドタイミング情報に従ってタイミングアドバンスを調整するステップと、
前記UEによって、前記初期アップリンクメッセージを伝送するステップの前に、前記第2の通信コントローラとのダウンリンク同期を実行するステップと
をさらに含む、請求項8に記載の方法。
【請求項１１】
前記第1の通信コントローラがソース進化型NodeB（eNB）であり、前記第2の通信コントローラがターゲットeNBであり、前記初期アップリンクメッセージが、ハンドオーバ手順の一部として物理アップリンク共有チャネル（PUSCH）で伝送される、請求項1に記載の方法。
【請求項１２】
第1の通信コントローラがマスタ進化型NodeB（MeNB）であり、前記第2の通信コントローラがセカンダリ進化型NodeB（SeNB）であり、前記UE、MeNB、およびSeNBがデュアル接続性の通信システムの一部である、請求項1に記載の方法。
【請求項１３】
デジタル通信のための方法であって、前記方法は、
第1の通信コントローラによって、初期アップリンク伝送のためのリソース割り当ておよび伝送電力レベルを決定するステップと、
前記第1の通信コントローラによって、前記リソース割り当ておよび前記伝送電力レベルに関する情報を含むメッセージを第2の通信コントローラに伝送するステップと、
前記第1の通信コントローラによって、ユーザ機器からの前記リソース割り当ておよび前記伝送電力レベルに従って前記初期アップリンク伝送を受信するステップと
を含む、方法。
【請求項１４】
前記伝送電力レベルを決定するステップが、
前記第1の通信コントローラによって、ダウンリンクチャネル受信電力報告から前記伝送電力レベルを決定するステップ
を含む、請求項13に記載の方法。
【請求項１５】
前記伝送電力レベルを決定するステップが、
前記第1の通信コントローラによって、前記ユーザ機器からの受信基準信号に従ってアップリンクチャネルを測定するステップと、
前記第1の通信コントローラによって、前記測定されたアップリンクチャネルに従ってアップリンク経路損失を決定するステップと、
前記第1の通信コントローラによって、前記アップリンク経路損失に従って前記伝送電力レベルを決定するステップと
を含む、請求項13に記載の方法。
【請求項１６】
前記第1の通信コントローラによって、前記ユーザ機器から受信されたタイミングシーケンスに従ってハイブリッドタイミング情報を決定するステップと、
前記第1の通信コントローラによって、前記ハイブリッドタイミング情報を前記第2の通信コントローラに伝送するステップと
をさらに含む、請求項13に記載の方法。
【請求項１７】
デジタル通信するのに適したユーザ機器（UE）であって、前記UEは、
プロセッサと、
前記プロセッサによる実行のためのプログラミングを格納するコンピュータ可読記憶媒体と、
を備え、前記プログラミングは、
前記UEが第2の通信コントローラに伝送した初期アップリンクメッセージの第1の構成情報を受信し、前記第1の構成情報は、第1のアップリンクリソースを示す第1のアップリンクリソース割り当てインジケータと、伝送電力レベルを示す伝送電力インジケータとを含み、前記第1の構成情報は第1の通信コントローラから受信され、
前記第1の構成情報に従って前記初期アップリンクメッセージを伝送する
ように、前記UEを構成するための命令を含む、UE。
【請求項１８】
前記プログラミングが、前記伝送電力インジケータの決定に関与するための命令を含む、請求項17に記載のUE。
【請求項１９】
前記プログラミングが、前記第2の通信コントローラが伝送した基準シーケンスを測定し、前記測定された基準シーケンスに従って測定報告を伝送するための命令を含む、請求項18に記載のUE。
【請求項２０】
前記プログラミングが、アップリンク測定シーケンス伝送のための第2の構成情報を受信し、前記アップリンク測定シーケンス伝送のための前記第2の構成情報に従って基準シーケンスを伝送するための命令を含む、請求項18に記載のUE。
【請求項２１】
前記プログラミングが、前記第2の通信コントローラと前記UEとの間のチャネルのダウンリンク経路損失を測定し、前記ダウンリンク経路損失および前記第1の構成情報に従って前記初期アップリンクメッセージの伝送電力レベルを調整するための命令を含む、請求項17に記載のUE。
【請求項２２】
前記プログラミングが、前記UEが伝送したアップリンクタイミングメッセージについて前記第1の通信コントローラから第2の構成情報を受信し、前記第2の構成情報は、第2のアップリンクリソース割り当てインジケータおよびタイミングシーケンスインジケータを含み、前記第2の構成情報に従ってタイミングシーケンスを伝送するための命令を含む、請求項17に記載のUE。
【請求項２３】
デジタル通信するのに適した第1の通信コントローラであって、前記第1の通信コントローラは、
プロセッサと、
前記プロセッサによる実行のためのプログラミングを格納するコンピュータ可読記憶媒体と、
を備え、前記プログラミングは、
初期アップリンク伝送のためのリソース割り当ておよび伝送電力レベルを決定し、
前記リソース割り当ておよび前記伝送電力レベルに関する情報を含むメッセージを第2の通信コントローラに伝送し、
ユーザ機器からの前記リソース割り当ておよび前記伝送電力レベルに従って前記初期アップリンク伝送を受信する
ように、前記第1の通信コントローラを構成するための命令を含む、第1の通信コントローラ。
【請求項２４】
前記プログラミングが、ダウンリンクチャネル受信電力報告から前記伝送電力レベルを決定するための命令を含む、請求項23に記載の第1の通信コントローラ。
【請求項２５】
前記プログラミングが、前記ユーザ機器から受信した基準信号に従ってアップリンクチャネルを測定し、前記測定されたアップリンクチャネルに従ってアップリンク経路損失を決定し、前記アップリンク経路損失に従って前記伝送電力レベルを決定するための命令を含む、請求項23に記載の第1の通信コントローラ。
【請求項２６】
前記プログラミングが、前記ユーザ機器から受信したタイミングシーケンスに従ってハイブリッドタイミング情報を決定し、前記第2の通信コントローラに前記ハイブリッドタイミング情報を伝送するための命令を含む、請求項23に記載の第1の通信コントローラ。
【発明の詳細な説明】
【技術分野】
【０００１】
関連出願の相互参照
本出願は、2016年3月16日に出願された”System and Method for Managing Connections in a Wireless Communications System”と題された米国仮出願第15／072078号の優先権を主張し、参照によりその全体が本明細書に組み込まれる。
【０００２】
本開示は、一般にデジタル通信に関し、より詳細には、無線通信システムにおける接続を管理するためのシステムおよび方法に関する。
【背景技術】
【０００３】
長い待ち時間は、一般に、無線通信システムでは望ましくない。一例として、モバイルデバイスと通信コントローラとの間の接続を確立する際の待ち時間が長くなると、サービスの中断、コールの切断、データの損失、一時停止、グリッチなどが発生し、不快な経験につながる可能性がある。さらに、小規模セルネットワーク配備、超高密度ネットワーク（UDN）などの高い移動性を有する環境において、接続（例えば、ハンドオーバ、再構成、確立など）を管理することは、接続の存続期間のかなりの部分を占める可能性があるため、このプロセスの遅延はユーザ体験に大きな影響を与える。したがって、接続の管理に伴う待ち時間を最小限に抑えることが有効である。
【発明の概要】
【０００４】
例示的な実施形態は、無線通信システムにおける接続を管理するためのシステムおよび方法を提供する。
【課題を解決するための手段】
【０００５】
一態様では、デジタル通信のための方法が提供される。この方法は、ユーザ機器（UE）によって、UEが第2の通信コントローラに伝送した初期アップリンクメッセージの第1の構成情報を受信するステップであって、第1の構成情報は、第1のアップリンクリソースを示す第1のアップリンクリソース割り当てインジケータと、伝送電力レベルを示す伝送電力インジケータとを含み、第1の構成情報は第1の通信コントローラから受信される、ステップと、UEによって、第1の構成情報に従って初期アップリンクメッセージを伝送するステップと、を含む。
【０００６】
選択的に、前述の態様のいずれかにおいて、この方法ではさらに、伝送電力レベルが、第2の通信コントローラによって指定されるか、または第1および第2の通信コントローラによってネゴシエートされるレベルである。
【０００７】
選択的に、前述の態様のいずれかにおいて、方法は、UEによって、伝送電力インジケータの決定に関与するステップをさらに含む。
【０００８】
選択的に、前述の態様のいずれかにおいて、この方法ではさらに、伝送電力レベルの決定に関与するステップが、UEによって、第2の通信コントローラが伝送した基準シーケンスを測定するステップと、UEによって、測定された基準シーケンスに従って測定報告を伝送するステップと、を含む。
【０００９】
選択的に、前述の態様のいずれかにおいて、この方法ではさらに、伝送電力レベルの決定に関与するステップが、UEによって、アップリンク測定シーケンス伝送のための第2の構成情報を受信するステップと、UEによって、アップリンク測定シーケンス伝送のための第2の構成情報に従って基準シーケンスを伝送するステップと、を含む。
【００１０】
選択的に、前述の態様のいずれかにおいて、方法は、UEによって、第2の通信コントローラとUEとの間のチャネルのダウンリンク経路損失を測定するステップと、UEによって、ダウンリンク経路損失および第1の構成情報に従って初期アップリンクメッセージのための伝送電力レベルを調整するステップと、をさらに含む。
【００１１】
選択的に、前述の態様のいずれかにおいて、方法は、UEによって、初期アップリンクメッセージを伝送するステップの前に、第2の通信コントローラとのダウンリンク同期を実行するステップをさらに含む。
【００１２】
選択的に、前述の態様のいずれかにおいて、方法は、UEによって、第1の構成情報を受信するステップの前に、ハイブリッドタイミング情報の決定に関与するステップをさらに含む。
【００１３】
選択的に、前述の態様のいずれかにおいて、この方法ではさらに、ハイブリッドタイミング情報の決定に関与するステップが、UEによって、UEが伝送したアップリンクタイミングメッセージのための第1の通信コントローラから第3の構成情報を受信するステップであって、第3の構成情報は、第2のアップリンクリソース割り当てインジケータおよびタイミングシーケンスインジケータを含む、ステップと、UEによって、第3の構成情報に従ってタイミングシーケンスを伝送するステップとを含む。
【００１４】
選択的に、前述の態様のいずれかにおいて、この方法ではさらに、第1の構成情報がハイブリッドタイミング情報をさらに含み、方法は、UEによって、ハイブリッドタイミング情報に従ってタイミングアドバンスを調整するステップと、UEによって、初期アップリンクメッセージを伝送するステップの前に、第2の通信コントローラとのダウンリンク同期を実行するステップとをさらに含む。
【００１５】
選択的に、前述の態様のいずれかにおいて、この方法ではさらに、第1の通信コントローラがソース進化型NodeB（eNB）であり、第2の通信コントローラがターゲットeNBであり、初期アップリンクメッセージが、ハンドオーバ手順の一部として物理アップリンク共有チャネル（PUSCH）で伝送される。
【００１６】
選択的に、前述の態様のいずれかにおいて、この方法ではさらに、第1の通信コントローラがマスタ進化型NodeB（MeNB）であり、第2の通信コントローラがセカンダリ進化型NodeB（SeNB）であり、UE、MeNB、およびSeNBがデュアル接続性の通信システムの一部である。
【００１７】
別の態様によれば、デジタル通信のための方法が提供される。この方法は、第1の通信コントローラによって、初期アップリンク伝送のためのリソース割り当ておよび伝送電力レベルを決定するステップと、第1の通信コントローラによって、リソース割り当ておよび伝送電力レベルに関する情報を含むメッセージを第2の通信コントローラに伝送するステップと、第1の通信コントローラによって、ユーザ機器からのリソース割り当ておよび伝送電力レベルに従って初期アップリンク伝送を受信するステップとを含む。
【００１８】
選択的に、前述の態様のいずれかにおいて、この方法ではさらに、伝送電力レベルを決定するステップが、第1の通信コントローラによって、ダウンリンクチャネル受信電力報告から伝送電力レベルを決定するステップを含む。
【００１９】
選択的に、前述の態様のいずれかにおいて、この方法ではさらに、伝送電力レベルを決定するステップが、第1の通信コントローラによって、ユーザ機器からの受信基準信号に従ってアップリンクチャネルを測定するステップと、第1の通信コントローラによって、測定されたアップリンクチャネルに従ってアップリンク経路損失を決定するステップと、第1の通信コントローラによって、アップリンク経路損失に従って伝送電力レベルを決定するステップとを含む。
【００２０】
選択的に、前述の態様のいずれかにおいて、方法は、第1の通信コントローラによって、ユーザ機器から受信されたタイミングシーケンスに従ってハイブリッドタイミング情報を決定するステップと、第1の通信コントローラによって、ハイブリッドタイミング情報を第2の通信コントローラに伝送するステップとをさらに含む。
【００２１】
別の例示的な態様によれば、デジタル通信するのに適したユーザ機器（UE）が提供される。UEは、プロセッサと、プロセッサによる実行のためのプログラミングを格納するコンピュータ可読記憶媒体とを含む。プログラミングは、UEが第2の通信コントローラに伝送した初期アップリンクメッセージの第1の構成情報を受信し、第1の構成情報は、第1のアップリンクリソースを示す第1のアップリンクリソース割り当てインジケータと、伝送電力レベルを示す伝送電力インジケータとを含み、第1の構成情報は第1の通信コントローラから受信され、第1の構成情報に従って初期アップリンクメッセージを伝送するように、UEを構成するための命令を含む。
【００２２】
選択的に、前述の態様のいずれかにおいて、このUEではさらに、プログラミングが伝送電力インジケータの決定に関与するための命令を含む。
【００２３】
選択的に、前述の態様のいずれかにおいて、このUEではさらに、プログラミングが、第2の通信コントローラが伝送した基準シーケンスを測定し、測定された基準シーケンスに従って測定報告を伝送するための命令を含む。
【００２４】
選択的に、前述の態様のいずれかにおいて、このUEではさらに、プログラミングが、アップリンク測定シーケンス伝送のための第2の構成情報を受信し、アップリンク測定シーケンス伝送のための第2の構成情報に従って基準シーケンスを伝送するための命令を含む。
【００２５】
選択的に、前述の態様のいずれかにおいて、このUEではさらに、プログラミングが、第2の通信コントローラとUEとの間のチャネルのダウンリンク経路損失を測定し、ダウンリンク経路損失および第1の構成情報に従って初期アップリンクメッセージの伝送電力レベルを調整するための命令を含む。
【００２６】
選択的に、前述の態様のいずれかにおいて、このUEではさらに、プログラミングが、UEが伝送したアップリンクタイミングメッセージについて第1の通信コントローラから第2の構成情報を受信し、第2の構成情報に従ってタイミングシーケンスを伝送するための命令を含み、第2の構成情報は、第2のアップリンクリソース割り当てインジケータおよびタイミングシーケンスインジケータを含む。
【００２７】
別の態様によれば、デジタル通信するのに適した第1の通信コントローラが提供される。第1の通信コントローラは、プロセッサと、プロセッサによる実行のためのプログラミングを格納するコンピュータ可読記憶媒体とを含む。プログラミングは、初期アップリンク伝送のためのリソース割り当ておよび伝送電力レベルを決定し、リソース割り当ておよび伝送電力レベルに関する情報を含むメッセージを第2の通信コントローラに伝送し、ユーザ機器からのリソース割り当ておよび伝送電力レベルに従って初期アップリンク伝送を受信するように、第1の通信コントローラを構成するための命令を含む。
【００２８】
選択的に、前述の態様のいずれかにおいて、第1の通信コントローラではさらに、プログラミングが、ダウンリンクチャネル受信電力報告から伝送電力レベルを決定するための命令を含む。
【００２９】
選択的に、前述の態様のいずれかにおいて、第1の通信コントローラではさらに、プログラミングが、ユーザ機器から受信した基準信号に従ってアップリンクチャネルを測定し、測定されたアップリンクチャネルに従ってアップリンク経路損失を決定し、アップリンク経路損失に従って伝送電力レベルを決定するための命令を含む。
【００３０】
選択的に、前述の態様のいずれかにおいて、第1の通信コントローラではさらに、プログラミングが、ユーザ機器から受信したタイミングシーケンスに従ってハイブリッドタイミング情報を決定し、第2の通信コントローラにハイブリッドタイミング情報を伝送するための命令を含む。
【００３１】
前述の実施形態の実施は、リソース割り当ておよび初期伝送電力レベルを提供することによって、接続の管理において生じる待ち時間の低減を可能にし、それにより、その決定に伴う待ち時間をなくす（または低減する）。
【００３２】
本開示のより完全な理解およびその利点のために、添付の図面と併せて以下の説明が参照される。
【図面の簡単な説明】
【００３３】
【図１Ａ】例示的な無線通信システムを示す図である。
【図１Ｂ】無線通信システムにおけるハンドオーバの中間段階を示す図である。
【図１Ｃ】無線通信システムにおけるハンドオーバの最終段階を示す図である。
【図２Ａ】デュアル接続性を強調する第1の例示的な無線通信システムを示す図である。
【図２Ｂ】デュアル接続性を強調する第2の例示的な無線通信システムを示す図である。
【図３】従来技術のハンドオーバ手順を示すメッセージ交換図である。
【図４】本明細書に記載の例示的な実施形態による待ち時間低減技術を強調するハンドオーバ手順の一例を示すメッセージ交換図である。
【図５Ａ】本明細書に記載の例示的な実施形態による、UEがハンドオーバ動作に関与する際にUEにおいて生じる例示的な動作のフロー図である。
【図５Ｂ】本明細書に記載の例示的な実施形態による、ソースeNBがハンドオーバ動作に関与する際にソースeNBにおいて生じる例示的な動作のフロー図である。
【図５Ｃ】本明細書に記載の例示的な実施形態による、ターゲットeNBがハンドオーバ動作に関与する際にターゲットeNBにおいて生じる例示的な動作のフロー図である。
【図６Ａ】本明細書に記載の例示的な実施形態による、アップリンク経路損失の決定に関与するUEにおいて生じる第1の例示的な動作のフロー図である。
【図６Ｂ】本明細書に記載の例示的な実施形態による、アップリンク経路損失の決定に関与するソースeNBにおいて生じる第1の例示的な動作のフロー図である。
【図６Ｃ】本明細書に記載の例示的な実施形態による、アップリンク経路損失の決定に関与するターゲットeNBにおいて生じる第1の例示的な動作のフロー図である。
【図７Ａ】本明細書に記載の例示的実施形態による、アップリンク経路損失の決定に関与するUEにおいて生じる第2の例示的な動作のフロー図である。
【図７Ｂ】本明細書に記載の例示的実施形態による、アップリンク経路損失の決定に関与するソースeNBにおいて生じる第2の例示的な動作のフロー図である。
【図７Ｃ】本明細書に記載の例示的実施形態による、アップリンク経路損失の決定に関与するターゲットeNBにおいて生じる第2の例示的な動作のフロー図である。
【図８】本明細書に記載の例示的な実施形態によるハイブリッドタイミング情報の決定を強調するハンドオーバ手順の一例を示すメッセージ交換図である。
【図９Ａ】本明細書に記載の例示的な実施形態による、ハイブリッドタイミング情報の決定に関与するUEにおいて生じる例示的な動作のフロー図である。
【図９Ｂ】本明細書に記載の例示的実施形態による、ハイブリッドタイミング情報の決定に関与するソースeNBにおいて生じる例示的な動作のフロー図である。
【図９Ｃ】本明細書に記載の例示的実施形態による、ハイブリッドタイミング情報の決定に関与するターゲットeNBにおいて生じる例示的な動作のフロー図である。
【図１０】本明細書に記載の方法を実行するための実施形態の処理システムのブロック図である。
【図１１】本明細書に記載の例示的な実施形態による、通信ネットワークを介してシグナリングを送受信するように適合されたトランシーバのブロック図である。
【発明を実施するための形態】
【００３４】
現行の例示的な実施形態の動作およびその構造は、以下で詳細に説明される。しかしながら、本開示は、多種多様な特定の状況において実現され得る多くの適用可能な発明概念を提供することを理解されたい。説明された特定の実施形態は、本開示の実施形態の特定の構造および本開示の実施形態を動作させる方法の単なる例示であり、本開示の範囲を限定するものではない。
【００３５】
一実施形態は、無線通信システムにおける接続を管理するためのシステムおよび方法に関する。例えば、ユーザ機器は、ユーザ機器が第2の通信コントローラに伝送した初期アップリンクメッセージの第1の構成情報を第1の通信コントローラから受信し、第1の構成情報に従って初期アップリンクメッセージを伝送し、ここで、第1の構成情報は、第1のアップリンクリソースを示す第1のアップリンクリソース割り当てインジケータおよび伝送電力レベルを示す伝送電力インジケータを含む。
【００３６】
実施形態は、具体的な文脈における例示的な実施形態、すなわち、通信システムにおいて動作するデバイスのための接続を管理する通信システムに関して説明される。実施形態は、通信システムにおいて動作するデバイスのための接続を管理する、第3世代パートナーシッププロジェクト（3GPP）、IEEE802．11などに準拠する通信システムや、技術標準、および非標準準拠の通信システムのような、標準に準拠する通信システムに適用され得る。
【００３７】
図1Aは、例示的な無線通信システム100を示している。無線通信システム100は、eNB105およびeNB115などの複数の進化型NodeB（eNB）を含む。各eNBは、eNB105のカバレッジエリア107およびeNB115のカバレッジエリア117などのカバレッジエリアを有する。eNBは、UE110のような1つ以上のユーザ機器（UE）にサービスを提供することができる。eNBは、一般にNodeB、基地局（BS）、アクセスポイント（AP）などとも呼ばれてもよく、UEは、一般にユーザ、端末、加入者、移動体、移動局（MS）、局などと呼ばれてもよい。通信システムは、いくつかのUEと通信することができる複数のeNBを使用することができると理解されるが、簡略化のために、2つのeNBと1つのUEのみが示されている。
【００３８】
UEにサービスを提供する際、eNBは、UEへのまたはUEからの伝送のためのネットワークリソースを割り当てや、UEへの接続性のサポートを提供する。言い換えれば、eNBは、UEに対する接続管理サポートを提供する。一例として、UEが最初にeNBのカバレッジエリア内で電源をオンにすると、eNBは、UEがeNBとの接続を確立するのを助ける。別の例として、ハンドオーバにおいて、UEが第1のeNBのカバレッジエリアから離れて第2のeNBのカバレッジエリアに入るとき、第1のeNBおよび第2のeNBの両方が、（必要であれば）UEが第2のeNBとの接続を確立して第1のeNBとの接続を切断するのを助ける。
【００３９】
図1Aは、ハンドオーバの初期段階を示している。図1Aに示すように、UE110は、eNB105との接続を有するカバレッジエリア107とカバレッジエリア117の両方に存在する。ただし、UE110がeNB105からeNB115に向かって移動し続ける場合、eNB105との接続の品質は低下する。ある時点で、サービスを維持するために、UE110とeNB115との接続を確立するためにハンドオーバが実行されなければならない。図1Bは、無線通信システム100におけるハンドオーバの中間段階を示している。ハンドオーバの中間段階では、UE110とeNB105との間およびUE110とeNB115との間の両方に接続が存在する。このような状況は、両方の接続が維持可能であるようにUE110が無線通信システム100内のある位置に配置される場合に存在し得る。あるいは、図1Bは、UE110とeNB115との間の接続が確立された後の、UE110とeNB105との間の接続が切断される前の状況を示している。図1Cは、無線通信システム100におけるハンドオーバの最終段階を示している。図1Cに示すように、UE110は、eNB115によってのみサービスされる。
【００４０】
UEの接続が確立され得る別のシナリオは、デュアル接続性の配備である。デュアル接続性では、UEは、計画されたインフラストラクチャの一部であるマクロeNBとの接続、ならびに、小規模セル配備の一部である低電力eNBとの接続を有することができる。計画されたインフラストラクチャの例は、3GPP LTE準拠の通信システムなどのセルラ通信システムであり、小規模セル配備の例は、カバレッジまたはパフォーマンスを改善するためにインフラストラクチャプロバイダまたはユーザによって配備されたホットスポットを含む。バックホールは、マクロeNBと低電力eNBを接続する。
【００４１】
一例として、UEは、マクロeNBとの接続を有し、低電力eNBのカバレッジエリア内を移動するとき、マクロeNBとの接続を維持しながら、低電力eNBとの接続が追加される。別の例として、UEは、マクロeNBおよび第1の低電力eNBとの接続を有し、その後、UEが移動するにつれて、第1の低電力eNBとの接続が切断されている間に、第2の低電力eNBとの新しい接続が追加される。さらに別の例として、UEは、マクロeNBとの接続を有し、その後、UEがマクロeNBのカバレッジエリアを移動してそこを出るが、低電力eNBのカバレッジエリアに入ると、マクロeNBとの接続が切断されている間に、低電力eNBとの接続が確立される。
【００４２】
図2Aは、デュアル接続性を強調する第1の例示的な無線通信システム200を示している。無線通信システム200は、デュアル接続性を論じるときにマスタeNB（MeNB）と呼ばれるマクロeNB205と、デュアル接続性を論じるときにセカンダリeNB（SeNB）と呼ばれる第1の低電力eNB215と、デュアル接続性を論じるときに別のSeNBと呼ばれる第2の低電力eNB225とを含む。マクロeNB205、第1の低電力eNB215、および第2の低電力eNB225は、カバレッジエリア207、217、および227をそれぞれ有する。図2Aに示すように、UE230はカバレッジエリア217に位置し、マクロeNB（MeNBとも呼ばれる）205および第1低電力eNB（SeNBとも呼ばれる）215との接続を介してデュアル接続性を有する。
【００４３】
図2Bは、デュアル接続性を強調する第2の例示的な無線通信システム250を示している。無線通信システム250は、マクロeNB255、ならびに第1の低電力eNB265および第2の低電力eNB275を含む。図2Bに示すように、UE280は、カバレッジエリア267に位置し、第1の低電力eNB（SeNBとも呼ばれる）265との接続性を有する。UE280は単一の接続を有するが、UE280がカバレッジエリア257に戻って移動した場合には、マクロeNB255との接続が確立されてもよい。
【００４４】
図3は、従来技術のハンドオーバ手順のメッセージ交換図300を示している。メッセージ交換図300は、ハンドオーバ手順においてUE305、ソースeNB310、およびターゲットeNB315で生じる動作およびそれらの間で交換されるメッセージを示している。ここでUE305にサービスを提供しているソースeNB310は、測定制御メッセージをUE305に送信し（イベント320）、UE305による基準信号測定を開始する。ソースeNB310はまた、アップリンク割り当てを割り当て、アップリンク割り当てに関する情報をUE305に送信する（イベント322）。アップリンク割り当ては、UE305がソースeNB310に測定報告を送信することを可能にするネットワークリソースに関するものであってもよい。UE305は、測定報告をソースeNB310に送信する（イベント324）。UE305から受信した測定報告から、ソースeNB310は、ハンドオーバ決定を行う（ブロック326）。一例として、ソースeNB310は、UE305からの基準信号測定を評価して、ハンドオーバが正当か否かを決定する。
【００４５】
説明の目的のために、ソースeNB310が、ハンドオーバ手順が正当であると決定し、eNB315をターゲットとするUE305のためのハンドオーバを開始することを決定する状況を考える。ソースeNB310は、ターゲットeNB315にハンドオーバ要求メッセージを送信する（イベント328）。ソースeNB310はまた、UE305にダウンリンクリソースを割り当て、ダウンリンク割り当てに関する情報をUE305に送信する（イベント330）。ダウンリンク割り当ては、UE305にハンドオーバコマンドを送信するために使用されてもよい。ターゲットeNB315は、ハンドオーバ要求を評価してハンドオーバ手順に関与するかどうかを決定し、この評価はアドミッションコントロールと呼ばれる（ブロック332）。ターゲットeNB315は、ハンドオーバ要求確認応答で応答する（イベント334）で。説明の目的のために、ターゲットeNB315がハンドオーバ手順に関与することに同意すると仮定する。ターゲットeNB315はハンドオーバ手順に関与することに同意したので、ソースeNB310はハンドオーバコマンドをUE305に送信してハンドオーバを開始する（イベント336）。
【００４６】
UE305は、物理アップリンク共有チャネル（PUSCH）でメッセージを送信してランダムアクセスチャネル（RACH）手順を開始する（イベント338）。RACH手順は、タイミングアドバンス（TA）を得るためのアップリンク同期を含む。アップリンク同期は、UE305がターゲットeNB315と同期することを可能にする一方、RACH手順におけるメッセージの交換は、UE305の伝送電力レベルを決定することができる。ターゲットeNB315は、UE305にアップリンクリソースを割り当て、アップリンクリソースに関する情報をUE305に送信することによって応答する（イベント340）。UE305は、ハンドオーバの完了を確認するために、ターゲットeNB315へのアップリンク伝送で応答する（イベント342）。ソースeNB310は、そのバッファをフラッシュし、UE305との接続に関連するリソースを解放する（ブロック344）。
【００４７】
例示的な実施形態によれば、状況によっては、アップリンク同期を失うことなくTA手順を省略することが可能である。TA手順を省略すると、接続を確立する際の待ち時間が短縮される。TA手続きを省略する理由はたくさんあり、例えば、ソースとターゲットeNBが同期している場合、UEが自律的に調整できるため、TA手順は必要とされない可能性があり、ターゲットeNBのカバレッジエリアが十分に小さい場合、ターゲットeNBのダウンリンクに対してTA手順が必要とされない。ターゲットeNBのカバレッジエリア内でのアップリンク伝送のための遅延スプレッドは、UEのアップリンク伝送の受信が損なわれないほど短い（ターゲットeNBのカバレッジエリアのサイズが小さいため）。ターゲットeNB内のダウンリンク遅延スプレッドとeNB間のアップリンクTAとの組み合わせがガード時間内にある場合（例えば、アップリンクTAが直交周波数分割多重（OFDM）通信システムにおいてサイクリックプレフィックス内にある場合）、TAは必要とされない。
【００４８】
例示的な実施形態によれば、ターゲットeNBは、UEがハンドオーバ手順の初期アップリンク伝送で使用するためのアップリンクリソースおよびアップリンク伝送電力レベルを指定する。アップリンクリソースおよびアップリンク伝送電力を指定するターゲットeNBは、ターゲットeNBおよびUEが、UEのアップリンク伝送のためのアップリンク伝送電力レベルならびにアップリンクリソースを決定するための手順に関与する必要性を排除し、それにより、接続の確立に伴う待ち時間が短縮される。
【００４９】
以下に示す説明では、ハンドオーバ手順における待ち時間を短縮するための例示的な実施形態に焦点を当てているが、例示的な実施形態はまたは、一般的な通信システムおよびデュアル接続性の通信システムにおける接続管理手順に伴う待ち時間を短縮するように動作可能である。例示的な実施形態は、SeNBへの接続ならびにSeNB間のハンドオーバを含む、一般的な通信システムおよびデュアル接続性の通信システムにおける接続管理に適用される。したがって、ハンドオーバを含む待ち時間を低減する例示的な実施形態の説明は、例示的な実施形態の範囲または趣旨のいずれかを限定するものと解釈されるべきではない。
【００５０】
図4は、待ち時間低減技術を強調するハンドオーバ手順の一例のメッセージ交換図400を示している。メッセージ交換図400は、ハンドオーバ手順においてUE405、ソースeNB410、およびターゲットeNB415で生じる動作およびそれらの間で交換されるメッセージを示している。UE405、ソースeNB410、およびターゲットeNB415は、測定を行うことに関与する（イベント420）。一例として、ソースeNB410およびターゲットeNB415は、UE405によって測定される基準信号を伝送することができる。UE405は、ソースeNB410に行った測定についての測定報告を送信する（イベント422）。一例として、UE405は、基準信号受信電力（RSRP）測定値をソースeNB410に報告することができる。UE405から受信した測定報告から、ソースeNB410は、ハンドオーバ決定を行う（ブロック424）。一例として、ソースeNB410は、UE405からの基準信号測定報告を評価して、ハンドオーバが正当か否かを決定する。
【００５１】
説明の目的のために、ソースeNB410が、ハンドオーバ手順が正当であると決定し、eNB415をターゲットとするUE405のためのハンドオーバを開始することを決定する状況を考える。ソースeNB410は、UE405によって報告されたRSRP測定値を有するハンドオーバ要求メッセージをターゲットeNB415に送信する（イベント426）。
【００５２】
ターゲットeNB415が、UE405によってターゲットeNBに行われるアップリンク伝送のための伝送電力レベルを指定するために、ターゲットeNB405は、UE405とターゲットeNB415との間のアップリンク経路損失や、以前に適用された伝送電力制御（TPC）コマンドなどを含むさまざまな値を知る必要があり得る。従来、これらのパラメータは、UE405とターゲットeNB415との間のRACH手順中に決定される。ただし、このようなRACH手順がない場合、ターゲットeNB415は、UE405に関与することによってUE405の伝送電力レベルを決定することができ、UE405の伝送電力レベルを決定する際にソースeNB410を決定することができる（ブロック428）。
【００５３】
例示的な実施形態によれば、ターゲットeNB415は、ターゲットeNB415とUE405との間でUE405によって観測されたダウンリンク経路損失に基づいてUE405の伝送電力レベルを設定する。イベント422においてUE405によって提供され、ハンドオーバ要求メッセージでターゲットeNB415に転送される（イベント426）測定報告は、UE405のダウンリンク経路損失を含む。ターゲットeNB415は、ダウンリンク経路損失に基づいて、UE405の伝送電力レベルを設定することができる。チャネル相互関係を利用する一例として、ターゲットeNB415は、所望の受信電力レベルとダウンリンク経路損失との和として、UE405の伝送電力レベルを指定することができる。あるいは、ターゲットeNB415は、所望の受信電力レベルとダウンリンク経路損失の関数との和として、UE405の伝送電力レベルを指定してもよく、ここで、関数は、スケーリング、乗算、加算、減算などであってもよい。
【００５４】
例示的な実施形態によれば、ターゲットeNB415、ソースeNB410、およびUE405は、UE405の伝送電力レベルを決定するための測定手順に関与する。一例として、ソースeNB410は、既知の伝送電力で既知の信号（サウンディング基準信号（SRS）または関連するデバイスによって知られている他の何らかの信号）のアップリンク伝送を行うようにUE405を構成する。ソースeNB410はまた、アップリンク伝送を行うためにUE405にリソースを割り当て、割り当てられたリソースをUE405とターゲットeNB415の両方に示す。次いで、UE405は、リソースにおいて既知の信号を伝送し、ターゲットeNB415は、測定を行う。測定から、ターゲットeNB415は、それ自体とUE405との間のアップリンク経路損失を決定することができる。したがって、ターゲットeNB415は、ターゲットeNB415とUE405との間のアップリンク経路損失に従って、UE405の伝送電力レベルを指定することができる。一例として、ターゲットeNB415は、UE405の伝送電力レベルを、所望の受信電力レベルとアップリンク経路損失との和として指定することができる。あるいは、ターゲットeNB415は、所望の受信電力レベルとダウンリンク経路損失の関数との和として、UE405の伝送電力レベルを指定してもよく、ここで、関数は、スケーリング、乗算、加算、減算などであってもよい。
【００５５】
例示的な実施形態によれば、アップリンク経路損失とダウンリンク経路損失の両方が一緒に使用される。ダウンリンク経路損失を使用して、伝送電力レベルのベースライン推定値を提供することができる。チャネルに不均衡が存在する状況において、伝送電力レベルの推定をより正確にするために、アップリンク経路損失を使用することができる。
【００５６】
ターゲットeNB415は、UE405の伝送電力レベルを指定することに加えて、UE405によって行われるアップリンク伝送のためのリソースも割り当てる。UE405によって行われるアップリンク伝送は、ハンドオーバ手順の完了を示すことができる。ターゲットeNB415は、ソースeNB410にハンドオーバ受諾メッセージを送信する（イベント430）。ハンドオーバ受諾メッセージは、伝送電力レベルと、UE405によって行われるアップリンク伝送のための割り当てられたリソースに関する情報とを含む。ハンドオーバ受諾メッセージに含まれる伝送電力レベルは、実際には伝送電力レベルの形式ではないかもしれないことに留意されたい。代わりに、伝送電力レベルは、伝送電力パラメータ、例えば、伝送電力レベル値のテーブルへのインデックス、または実際の伝送電力レベルを決定する関数への入力として使用され得る数値の形式で指定されてもよい。一例として、10の可能な伝送電力レベル値が存在し、ターゲットeNB415が、UE405が第2の伝送電力レベル値を使用することを指定する場合、伝送電力パラメータを2に設定して、UE405に第2の伝送電力レベル値を使用するように指示することができる。言い換えれば、ハンドオーバ受諾メッセージは、UE405によって行われるアップリンク伝送のための伝送電力レベルのインジケータを含む。
【００５７】
ターゲットeNB415およびソースeNB410は、伝送電力レベルに関して互いにネゴシエートすることができる（イベント432）。伝送電力レベルはソースeNB410に見え、UE405からターゲットeNB415へのアップリンク伝送はソースeNB410への干渉として現れるので、ソースeNB410およびターゲットeNB415は伝送電力レベルをネゴシエートすることができる。ネゴシエーションは、ソースeNB410が、例えば、ターゲットeNB415によって指定された伝送電力レベルが低すぎるか高すぎるかどうかを判断する場合に起こり得る。一例として、ソースeNB410が、伝送電力レベルが高すぎて不要な干渉を引き起こす可能性があると判断した場合、ソースeNB410およびターゲットeNB415は、伝送電力レベルを低減するためにネゴシエートすることができる。別の例として、ソースeNB410は、許容可能な伝送電力レベルに上限を設定し、伝送電力レベルが上限を超える場合、ソースeNB410は、ターゲットeNB415とネゴシエートして伝送電力レベルを低減する。ネゴシエーションの代替として、ソースeNB410は割り当てられたリソースを知っているので、ソースeNB410は、アップリンク伝送と衝突する可能性のあるそれ自体のリソースを空けることができる。
【００５８】
ソースeNB410は、再構成メッセージをUE405に送信する（イベント434）。再構成メッセージは、ハンドオーバに関する情報を含む。一例として、情報は、割り当てられたリソースに関連する情報や、アップリンク伝送のための伝送電力レベル（またはそのインジケータ）を含む。伝送電力レベルは、ターゲットeNB415によって指定された伝送電力レベルである。ターゲットeNB415およびソースeNB410が伝送電力レベルをネゴシエートした場合、伝送電力レベルはネゴシエートされた伝送電力レベルである。
【００５９】
UE405とターゲットeNB415は、ダウンリンクで同期するためにメッセージを交換する（イベント436）。一例として、ターゲットeNB415は、同期の目的でタイミング情報を得るためにUE405が検出する同期基準信号を伝送する。UE405はアップリンク伝送を送信する（イベント438）。アップリンク伝送は、ターゲットeNB415によって割り当てられたリソースにおいて、ターゲットeNB415によって指定された（またはイベント432でターゲットeNB415およびソースeNB410によってネゴシエートされた）伝送電力レベルで送信される。アップリンク伝送は、ハンドオーバが完了したことを示すように働くことができる。
【００６０】
UE405によるアップリンク伝送は失敗する可能性がある。UE405は、アップリンク伝送のためにハイブリッド自動再送要求（HARQ）動作が使用可能である場合、アップリンク伝送の失敗を検出することができる。UE405がアップリンク伝送に失敗したことを検出した場合、UE405はアップリンク伝送を再伝送しようと試みることができる。あるいは、UE405がアップリンク伝送に失敗したことを検出した場合、競合を伴う図3に示すようなRACH動作を伴う通常のハンドオーバ手順を実行することができる。
【００６１】
図5Aは、UEがハンドオーバ動作に関与する際にUEにおいて生じる例示的な動作500のフロー図を示している。動作500は、UEがハンドオーバ動作に関与する際にUEにおいて生じる動作を示すことができる。
【００６２】
動作500は、UEが基準信号を測定することから始まる（ブロック505）。基準信号は、ソースeNBおよびターゲットeNBによって伝送されてもよい。基準信号の測定は、UEとソースeNBとターゲットeNBとの間のチャネルの品質を測定する手順の一部であってもよい。UEは、測定報告をターゲットeNBに送信する（ブロック507）。測定報告は、ソースeNBおよびターゲットeNBから受信された基準信号に従って測定されたRSRPを含むことができる。
【００６３】
UEは、アップリンク伝送電力レベルの決定に関与する（ブロック509）。例示的な実施形態によれば、ソースeNBおよびターゲットeNBによって伝送された基準信号でUEが作成した測定値を使用して、アップリンク伝送電力レベルを決定することができる。別の例示的な実施形態によれば、UEは、ソースeNBによって割り当てられたアップリンクリソース内に基準信号（SRSなど）を伝送して、ターゲットeNBがUEのアップリンク経路損失を測定することを可能にするように構成され、ターゲットeNBがこのアップリンク経路損失を使用してUEの伝送電力レベルを決定する。
【００６４】
UEは、ハンドオーバ情報を有する再構成メッセージを受信する（ブロック511）。ハンドオーバ情報は、UEによるアップリンク伝送に割り当てられたリソースおよびアップリンク伝送のための伝送電力レベルに関する情報を含むことができる。伝送電力レベルは、ターゲットeNBによって指定されてもよく、ターゲットeNBとソースeNBとの間でネゴシエートされてもよい。UEは、ターゲットeNBとのダウンリンク同期を実行する（ブロック513）。一例として、UEは、ターゲットeNBによって伝送された基準信号を検出し、タイミング情報を取得する。UEは、伝送電力レベルを調整することができる（ブロック515）。UEは、ダウンリンク経路損失を決定し、ダウンリンク経路損失が、再構成メッセージで受信された伝送電力レベルとは異なる伝送電力レベルを示唆する場合、UEは、例えば、受信成功確率を最大にするために、2つのうちのより高い伝送電力レベルを選択する。UEは、アップリンクメッセージを送信する（ブロック517）。アップリンクメッセージは、ターゲットeNBによって指定されるか、ターゲットeNBおよびソースeNBによってネゴシエートされるか、またはUEによって調整されるときに、伝送電力レベルで再構成メッセージに示されるようにリソース内で送信される。
【００６５】
図5Bは、ソースeNBがハンドオーバ動作に関与する際にソースeNBにおいて生じる例示的な動作530のフロー図を示している。動作530は、ソースeNBがハンドオーバ動作に関与する際にソースeNBにおいて生じる動作を示すことができる。
【００６６】
動作530は、ソースeNBが、ソースeNBとUEとの間のチャネルの品質を測定する際にUEを支援するための基準信号を送信することから始まる（ブロック535）。ソースeNBは、UEから測定報告を受信する（ブロック537）。測定報告は、ソースeNBおよび潜在的に1つ以上のターゲットeNBによって送信された基準信号のUEによって測定されたRSRPを含むことができる。ソースeNBは、ハンドオーバがUEに対して正当か否かを決定する（ブロック539）。一例として、ソースeNBは、UEによって報告されたRSRPを比較し、ターゲットeNBに関連付けられたRSRPがソースeNBに関連付けられたRSRPより良好である場合、ソースeNBは、ハンドオーバがUEに対して正当であると決定する。
【００６７】
ハンドオーバが正当である場合、ソースeNBは、ターゲットeNBにハンドオーバ要求を送信する（ブロック541）。ハンドオーバ要求は、ターゲットeNBがソースeNBおよびUEとのハンドオーバに関与するかどうかを決定することを可能にする情報をターゲットeNBに提供する。一例として、ハンドオーバ要求は、UEによって報告されたRSRPを含む。ソースeNB、ターゲットeNB、およびUEは、UEの伝送電力レベルの決定に関与する（ブロック543）。例示的な実施形態によれば、ソースeNBおよびターゲットeNBによって伝送された基準信号でUEが作成した測定値を使用して、アップリンク伝送電力レベルを決定することができる。別の例示的な実施形態によれば、UEは、ソースeNBによって割り当てられたアップリンクリソース内に基準信号（SRSなど）を伝送して、ターゲットeNBがUEのアップリンク経路損失を測定することを可能にするように構成され、ターゲットeNBがこのアップリンク経路損失を使用してUEの伝送電力レベルを決定する。
【００６８】
ターゲットeNBがハンドオーバ要求を受け入れる場合、ソースeNBは、ターゲットeNBからハンドオーバ受諾メッセージを受信する（ブロック545）。ハンドオーバ受諾メッセージは、ハンドオーバ手順を完了するためにUEによって送信されたアップリンク伝送のためにターゲットeNBによって割り当てられたリソースに関する情報を含む。ハンドオーバ受諾メッセージはまた、UEによって伝送されたアップリンク伝送のための伝送電力レベルパラメータを含む。伝送電力レベルパラメータは、ターゲットeNBによって指定されたアップリンク伝送のための伝送電力レベルを示す。ソースeNBおよびターゲットeNBは、伝送電力レベルをネゴシエートすることができる（ブロック547）。
【００６９】
ソースeNBは、再構成メッセージをUEに送信する（ブロック549）。再構成メッセージは、アップリンク伝送のために割り当てられたリソースに関する情報および伝送電力パラメータを含むハンドオーバ情報を含む。ソースeNBは、バッファをクリアし、UEに関連するリソースを解放する（ブロック551）。
【００７０】
図5Cは、ターゲットeNBがハンドオーバ動作に関与する際にターゲットeNBにおいて生じる例示的な動作560のフロー図を示している。動作560は、ターゲットeNBがハンドオーバ動作に関与する際にターゲットeNBにおいて生じる動作を示すことができる。
【００７１】
動作560は、ターゲットeNBがターゲットeNBとUEとの間のチャネルの品質を測定する際にUEを支援する基準信号を送信することから始まる（ブロック565）。ターゲットeNBは、ソースeNBからハンドオーバ要求を受信する（ブロック567）。ハンドオーバ要求は、ターゲットeNBがソースeNBおよびUEとのハンドオーバに関与するかどうかを決定するのを支援するための情報を含む。一例として、ハンドオーバ要求は、UEによって報告されたRSRPを含む。ターゲットeNB、ソースeNB、およびUEは、UEの伝送電力レベルの決定に関与する（ブロック569）。例示的な実施形態によれば、ソースeNBおよびターゲットeNBによって伝送された基準信号でUEが作成した測定値を使用して、アップリンク伝送電力レベルを決定することができる。別の例示的な実施形態によれば、UEは、ソースeNBによって割り当てられたアップリンクリソース内に基準信号（SRSなど）を伝送して、ターゲットeNBがUEのアップリンク経路損失を測定することを可能にするように構成され、ターゲットeNBがこのアップリンク経路損失を使用してUEの伝送電力レベルを決定する。
【００７２】
ターゲットeNBがハンドオーバ要求を受け入れる場合、ターゲットeNBはソースeNBにハンドオーバ受諾メッセージを送信する（ブロック571）。ハンドオーバ受諾メッセージは、ハンドオーバ手順を完了するためにUEによって送信されたアップリンク伝送のためにターゲットeNBによって割り当てられたリソースに関する情報を含む。ハンドオーバ受諾メッセージはまた、UEによって伝送されたアップリンク伝送のための伝送電力レベルパラメータを含む。伝送電力レベルパラメータは、ターゲットeNBによって指定されたアップリンク伝送のための伝送電力レベルを示す。ターゲットeNBおよびソースeNBは、伝送電力レベルをネゴシエートすることができる（ブロック573）。
【００７３】
ターゲットeNBおよびUEは、ダウンリンク同期を実行する（ブロック575）。一例として、ターゲットeNBは、UEがタイミング情報を取得できるようにするために基準信号を送信する。ターゲットeNBは、UEからアップリンク伝送を受信する（ブロック577）。アップリンク伝送は、ターゲットeNBによって割り当てられたリソース内で生じる。アップリンク伝送は、指定された伝送電力レベル、またはターゲットeNBおよびソースeNBによってネゴシエートされた伝送電力レベルであってもよい。あるいは、アップリンク伝送は、UEによって決定されたダウンリンク経路損失に従ってUEによって調整された伝送電力レベルであってもよい。
【００７４】
図6Aは、アップリンク経路損失の決定に関与するUEにおいて生じる第1の例示的な動作600のフロー図を示している。動作600は、UEによるダウンリンク経路損失測定に基づいてUEがアップリンク経路損失の決定に関与する際にUEにおいて生じる動作を示すことができる。
【００７５】
動作600は、UEが基準信号を測定することから始まる（ブロック605）。決定されるアップリンク経路損失は、ターゲットeNBとUEとの間のチャネルに関するものであるため、ターゲットeNBから基準信号が受信される。UEは、測定報告を送信する（ブロック607）。測定報告は、ターゲットeNBとUEとの間にまだ接続が存在しない可能性があるため、ソースeNBに送信され得る。測定報告は、RSRP報告を含むことができる。
【００７６】
図6Bは、アップリンク経路損失の決定に関与するソースeNBにおいて生じる第1の例示的な動作630のフロー図を示している。動作630は、ソースeNBが、UEによるダウンリンク経路損失測定に基づいてアップリンク経路損失の決定に関与する際にソースeNBにおいて生じる動作を示すことができる。
【００７７】
動作630は、ソースeNBが測定報告を受信することから始まる（ブロック635）。測定報告は、ターゲットeNBによって送信された基準信号に従ってUEによって行われたダウンリンク測定のRSRP報告を含むことができる。ソースeNBは、測定報告を送信する（ブロック637）。ソースeNBは、測定報告をターゲットeNBに送信することができる。あるいは、ソースeNBは、測定報告に含まれるRSRP報告をターゲットeNBに送信することができる。
【００７８】
図6Cは、アップリンク経路損失の決定に関与するターゲットeNBにおいて生じる第1の例示的な動作660のフロー図を示している。動作660は、ターゲットeNBがUEによるダウンリンク経路損失測定に基づいてアップリンク経路損失の決定に関与する際にターゲットeNBにおいて生じる動作を示すことができる。
【００７９】
動作660は、ターゲットeNBが基準信号を送信することから始まる（ブロック665）。基準信号は、ターゲットeNBによって送信され、ターゲットeNBとUEとの間のチャネルを測定する際にUEを支援する。ターゲットeNBは、測定報告を受信する（ブロック667）。測定報告を、UEから測定報告を受信したソースeNBから受信することができる。あるいは、測定報告の代わりに、ターゲットeNBは、もともとUEからRSRP報告を受信したソースeNBからRSRP報告を受信する。
【００８０】
ターゲットeNBは、基準信号を送信するために使用される伝送電力レベルを知っているので、ターゲットeNBは、ダウンリンク経路損失を決定する（ブロック669）。一例として、ダウンリンク経路損失は、基準信号の伝送電力レベルとRSRP報告との差である。ターゲットeNBは、ダウンリンク経路損失からアップリンク経路損失を決定する（ブロック671）。TDD通信システムでは、アップリンク経路損失は、同じチャネルが使用されるので、ダウンリンク経路損失と等しいと考えられてもよい。さらに、FDD通信システムでは、2つのチャネルの周波数があまりにも離れていなければ、2つのチャネルの経路損失が等しくなる可能性があるため、アップリンク経路損失の良好な推定値はダウンリンク経路損失であってもよい。ターゲットeNBは、アップリンク経路損失に従って伝送電力レベルを決定する（ブロック673）。一例として、伝送電力レベルは、意図された受信電力レベルとアップリンク経路損失との和に等しい。別の例として、伝送電力レベルは、意図された受信電力レベルとアップリンク経路損失の関数との和に等しい。
【００８１】
図7Aは、アップリンク経路損失の決定に関与するUEにおいて生じる第2の例示的な動作700のフロー図を示している。動作700は、UEによって行われたアップリンク伝送に基づいてUEがアップリンク経路損失の決定に関与する際にUEにおいて生じる動作を示すことができる。
【００８２】
動作700は、UEがアップリンク伝送構成を受信することから始まる（ブロック705）。アップリンク伝送構成を、ソースeNBから受信することができる。アップリンク伝送構成は、ターゲットeNBがUEとターゲットeNBとの間のチャネルのアップリンク経路損失を決定するのを支援するために、UEによって行われるべきアップリンク伝送に関する情報を含むことができる。アップリンク伝送構成は、リソース、伝送電力レベル、伝送する信号、MCSレベルなどを含むことができる。伝送する信号の例には、SRSまたはその他の既知のシーケンスが含まれる。UEは、信号を送信する（ブロック707）。信号は、リソースでUEによって送信される。
【００８３】
図7Bは、アップリンク経路損失の決定に関与するソースeNBにおいて生じる第2の例示的な動作730のフロー図を示している。動作730は、ソースeNBがUEによって行われたアップリンク伝送に基づいてアップリンク経路損失の決定に関与する際にソースeNBにおいて生じる動作を示すことができる。
【００８４】
動作730は、ソースeNBがアップリンク伝送構成を送信することから始まる（ブロック735）。アップリンク伝送構成は、UEおよびターゲットeNBの両方に送信されてもよい。アップリンク伝送構成は、ターゲットeNBがUEとターゲットeNBとの間のチャネルのアップリンク経路損失を決定するのを支援するために、UEによって行われるべきアップリンク伝送に関する情報を含むことができる。アップリンク伝送構成は、リソース、伝送電力レベル、伝送する信号、MCSレベルなどを含むことができる。伝送する信号の例には、SRSまたはその他の既知のシーケンスが含まれる。
【００８５】
図7Cは、アップリンク経路損失の決定に関与するターゲットeNBにおいて生じる第2の例示的な動作760のフロー図を示している。動作760は、ターゲットeNBがUEによって行われたアップリンク伝送に基づいてアップリンク経路損失の決定に関与する際にターゲットeNBにおいて生じる動作を示すことができる。
【００８６】
動作760は、ターゲットeNBがアップリンク伝送構成を受信することから始まる（ブロック765）。アップリンク伝送構成を、ソースeNBから受信することができる。アップリンク伝送構成は、ターゲットeNBがUEとターゲットeNBとの間のチャネルのアップリンク経路損失を決定するのを支援するために、UEによって行われるべきアップリンク伝送に関する情報を含むことができる。ターゲットeNBは、アップリンク伝送を測定する（ブロック767）。ターゲットeNBは、アップリンク伝送構成によって指定されたリソースでアップリンク伝送を測定する。ターゲットeNBは、アップリンク経路損失を決定する（ブロック769）。ターゲットeNBはUEの伝送電力レベルを知っているので、ターゲットeNBは、受信信号の信号電力および伝送電力レベルに基づいて、アップリンク経路損失を決定することができる。一例として、アップリンク経路損失は、伝送電力レベルと受信信号の信号電力との間の差に等しい。別の例として、アップリンク経路損失は、伝送電力レベルと、受信信号の信号電力の関数（例えば、スケーリング、乗算、除算、加算、減算など）との差に等しい。ターゲットeNBは、伝送電力レベルを決定する（ブロック771）。ターゲットeNBは、意図された受信電力レベルおよびアップリンク経路損失に従って伝送電力レベルを決定することができる。
【００８７】
例示的な実施形態によれば、RACHがないハンドオーバ手順においてタイミング情報を取得するための技術が提供される。前述の例示的な実施形態では、同期化されたネットワーク、小さなカバレッジエリア、短い遅延スプレッドなどの複数の条件の下で許容されるTA手順が省略されている。ただし、それらの条件または他の同様の条件が満たされない場合、UEがターゲットeNBと同期していることを確認するために、タイミング情報が必要となることがある。
【００８８】
例示的な実施形態によれば、ターゲットeNBは、UEの現在のタイミングに対してUEのハイブリッドタイミング情報を取得する。ハイブリッドタイミング情報は、ダウンリンク同期中などに、UEがターゲットeNBと同期するのを支援するためにUEに提供される。
【００８９】
図8は、ハイブリッドタイミング情報の決定を強調する例示的なハンドオーバ手順のメッセージ交換図800を示している。メッセージ交換図800は、ハンドオーバ手順においてUE805、ソースeNB810、およびターゲットeNB815で生じる動作およびそれらの間で交換されるメッセージを示している。UE805、ソースeNB810、およびターゲットeNB815は、測定を行うことに関与する（イベント820）。一例として、ソースeNB810およびターゲットeNB815は、UE805によって測定される基準信号を伝送することができる。UE805は、ソースeNB810に行った測定についての測定報告を送信する（イベント822）。一例として、UE805は、RSRP測定値をソースeNB810に報告することができる。UE805から受信した測定報告から、ソースeNB810は、ハンドオーバ決定を行う（ブロック824）。一例として、ソースeNB810は、UE805からの基準信号測定を評価して、ハンドオーバが正当か否かを決定する。
【００９０】
ハンドオーバ手順が正当であるとソースeNB810が決定した場合、ソースeNB810は、ハイブリッドタイミング情報の決定を開始するためのメッセージを送信する（イベント826）。メッセージはUE805に送信される。メッセージは、アップリンク伝送が行われるべきリソースなどのアップリンク伝送に関する情報や、伝送されているシーケンスに関する情報を含むことができる。伝送されるシーケンスは、送信機（UE805）と受信者（ターゲットeNB815）の両方が知っているべきであり、複数の伝送時間間隔（TTI）にわたって拡散されるシーケンスのような、タイミング検出のために最適化されるべきである。例えば、SRSが単一のTTIに集中しているので、SRSは、適切な候補ではない可能性がある。ソースeNB810はまた、ハンドオーバ要求メッセージを送信する（イベント828）。ハンドオーバ要求メッセージは、ターゲットeNB815に送信され、アップリンク伝送に関する情報を含むことができる。ハンドオーバ要求メッセージはまた、UE805によって提供される測定報告を含むことができる。UE805は、アップリンクで指定されたシーケンスを送信する（イベント830）。ターゲットeNB815は、シーケンスを検出し受信し、シーケンスに従ってUE805のハイブリッドタイミング情報を決定する（ブロック832）。
【００９１】
ターゲットeNB815は、ソースeNB810にハンドオーバ受諾メッセージを送信する（イベント834）。ハンドオーバ受諾メッセージは、UE805のハイブリッドタイミング情報を含む。ハンドオーバ受諾メッセージはまた、伝送電力レベルと、UE805によって行われたアップリンク伝送のための割り当てられたリソースに関する情報とを含む。ソースeNB810は、ハンドオーバコマンドをUE805に送信する（イベント836）。ハンドオーバコマンドは、ハイブリッドタイミング情報や、伝送電力レベルおよびアップリンク伝送のための割り当てられたリソースに関する情報を含む。UE805は、ターゲットeNB815とのダウンリンク同期を実行する（ブロック838）。UE805は、ハイブリッドタイミング情報に従ってアップリンク同期を実行する（ブロック840）。UE805は、アップリンク伝送を送信する（イベント842）。アップリンク伝送は、ターゲットeNB815によって割り当てられたリソースにおいて、ターゲットeNB815によって指定された（またはターゲットeNB815およびソースeNB810によってネゴシエートされるか、UE805によって調整される）伝送電力レベルで送信される。アップリンク伝送は、ハンドオーバが完了したことを示すように働くことができる。
【００９２】
図9Aは、ハイブリッドタイミング情報の決定に関与するUEにおいて生じる例示的な動作900のフロー図を示している。動作900は、UEがハイブリッドタイミング情報の決定に関与する際にUEにおいて生じる動作を示すことができる。
【００９３】
動作900は、UEがハイブリッドタイミング情報の決定を開始するメッセージを受信することから始まる（ブロック905）。メッセージは、アップリンク伝送が行われるべきリソースなどのアップリンク伝送に関する情報や、伝送されているシーケンスに関する情報を含むことができる。UEはシーケンスを送信する（ブロック907）。シーケンスは、メッセージに示されるようにリソース内で送信されてもよい。
【００９４】
図9Bは、ハイブリッドタイミング情報の決定に関与するソースeNBにおいて生じる例示的な動作930のフロー図を示している。動作930は、ソースeNBがハイブリッドタイミング情報の決定に関与する際にソースeNBにおいて生じる動作を示すことができる。
【００９５】
動作930は、ソースeNBがハイブリッドタイミング情報の決定を開始するメッセージを送信することから始まる（ブロック935）。メッセージを、UEに送信することができる。メッセージは、アップリンク伝送が行われるべきリソースなどのアップリンク伝送に関する情報や、伝送されているシーケンスに関する情報を含むことができる。
【００９６】
図9Cは、ハイブリッドタイミング情報の決定に関与するターゲットeNBにおいて生じる例示的な動作960のフロー図を示している。動作960は、ターゲットeNBがハイブリッドタイミング情報の決定に関与する際にターゲットeNBにおいて生じる動作を示すことができる。
【００９７】
動作960は、ターゲットeNBがハンドオーバ要求メッセージを受信することから始まる（ブロック965）。ハンドオーバ要求メッセージは、アップリンク伝送が行われるリソースおよび伝送されるシーケンスを含むハイブリッドタイミング情報をターゲットeNBが決定できるように、UEによって行われるアップリンク伝送に関する情報を含むことができる。ハンドオーバ要求メッセージはまた、UEによって提供される測定報告を含むことができる。ターゲットeNBは、UEによるアップリンク伝送を測定する（ブロック967）。ターゲットeNBは、アップリンク伝送に関する情報で指定されたリソース内のUEによって送信されたシーケンスを測定する。ターゲットeNBは、受信したシーケンスからハイブリッドタイミング情報を決定する（ブロック969）。
【００９８】
図10は、本明細書に記載の方法を実行するための実施形態の、ホスト装置にインストールすることができる処理システム1000のブロック図を示している。図示のように、処理システム1000は、プロセッサ1004、メモリ1006、およびインタフェース1010〜1014を含み、これらは図10に示すように配置されてもよい（または配置されなくてもよい）。プロセッサ1004は、計算および／または他の処理関連タスクを実行するように適合されたコンポーネントまたはコンポーネントの集合であってもよく、メモリ1006は、プロセッサ1004による実行のためのプログラミングおよび／または命令を格納するように適合されたコンポーネントまたはコンポーネントの集合であってもよい。一実施形態では、メモリ1006は、非一時的なコンピュータ可読媒体を含む。インタフェース1010，1012，1014は、処理システム1000が他のデバイス／コンポーネントおよび／またはユーザと通信することを可能にする任意のコンポーネントまたはコンポーネントの集合であってもよい。例えば、インタフェース1010，1012，1014のうちの1つ以上は、データ、制御、または管理メッセージをプロセッサ1004からホストデバイスおよび／またはリモートデバイスにインストールされたアプリケーションに通信するように適合されてもよい。別の例として、インタフェース1010，1012，1014のうちの1つ以上は、ユーザまたはユーザデバイス（例えば、パーソナルコンピュータ（PC）など）が処理システム1000と対話／通信することを可能にするように適合されてもよい。処理システム1000は、長期ストレージ（例えば、不揮発性メモリなど）のような、図10に示されていない追加のコンポーネントを含んでもよい。
【００９９】
いくつかの実施形態では、処理システム1000は、通信ネットワークにアクセスしているか、そうでなければその一部であるネットワークデバイスに含まれる。一例では、処理システム1000は、基地局、中継局、スケジューラ、コントローラ、ゲートウェイ、ルータ、アプリケーションサーバ、または通信ネットワーク内の任意の他のデバイスなどの無線もしくは有線の電気通信ネットワーク内のネットワーク側デバイス内にある。他の実施形態では、処理システム1000は、移動局、ユーザ機器（UE）、パーソナルコンピュータ（PC）、タブレット、ウェアラブル通信デバイス（例えば、スマートウォッチなど）、または電気通信ネットワークにアクセスするように適合された任意の他のデバイスなどの無線もしくは有線の電気通信ネットワークにアクセスするユーザ側デバイス内にある。
【０１００】
いくつかの実施形態では、インタフェース1010，1012，1014のうちの1つ以上が、処理システム1000を、電気通信ネットワークを介して信号を送受信するように適合されたトランシーバに接続する。図11は、通信ネットワークを介してシグナリングを送受信するように適合されたトランシーバ1100のブロック図を示している。トランシーバ1100を、ホストデバイスにインストールすることができる。図示されるように、トランシーバ1100は、ネットワーク側インタフェース1102、カプラ1104、送信機1106、受信機1108、信号プロセッサ1110、およびデバイス側インタフェース1112を備える。ネットワーク側インタフェース1102は、無線または有線通信ネットワークを介してシグナリングを送受信するように適合されたコンポーネントまたはコンポーネントの集合を含むことができる。カプラ1104は、ネットワーク側インタフェース1102を介した双方向通信を容易にするように適合されたコンポーネントまたはコンポーネントの集合を含むことができる。送信機1106は、ベースバンド信号を、ネットワーク側インタフェース1102を介した伝送に適した変調された搬送波信号に変換するように適合されたコンポーネントまたはコンポーネントの集合（例えば、アップコンバータ、電力増幅器など）を含むことができる。受信機1108は、ネットワーク側インタフェース1102を介して受信された搬送波信号をベースバンド信号に変換するように適合されたコンポーネントまたはコンポーネントの集合（例えば、ダウンコンバータ、低雑音増幅器など）を含むことができる。信号プロセッサ1110は、ベースバンド信号を、デバイス側インタフェース1112を介した通信に適したデータ信号に変換するように適合されたコンポーネントまたはコンポーネントの集合を含むことができ、またはその逆も可能である。デバイス側インタフェース1112は、信号プロセッサ1110とホストデバイス内のコンポーネント（例えば、処理システム1000、ローカルエリアネットワーク（LAN）ポートなど）との間でデータ信号を通信するように適合されたコンポーネントまたはコンポーネントの集合を含むことができる。
【０１０１】
トランシーバ1100は、任意のタイプの通信媒体を介してシグナリングを送受信することができる。いくつかの実施形態では、トランシーバ1100は、無線媒体を介してシグナリングを送受信する。例えば、トランシーバ1100は、セルラプロトコル（例えば、ロングタームエボリューション（LTE）など）、無線ローカルエリアネットワーク（WLAN）プロトコル（例えば、Wi−Fiなど）、または任意の他のタイプの無線プロトコル（例えば、ブルートゥース(登録商標)、近距離通信（NFC）など）などの無線電気通信プロトコルに従って通信するように適合された無線トランシーバであってもよい。このような実施形態では、ネットワーク側インタフェース1102は、1つ以上のアンテナ／放射要素を備える。例えば、ネットワーク側インタフェース1102は、単一のアンテナ、複数の別個のアンテナ、または、例えばSIMO（single input multiple output）、MISO（multiple input single output）、MIMO（multiple input multiple output）などのマルチレイヤ通信用に構成されたマルチアンテナアレイを含むことができる。他の実施形態では、トランシーバ1100は有線媒体、例えば、ツイストペアケーブル、同軸ケーブル、光ファイバなどを介してシグナリングを送受信する。特定の処理システムおよび／またはトランシーバは、示されたコンポーネントのすべて、またはコンポーネントのサブセットのみを利用してもよく、統合レベルはデバイスごとに異なっていてもよい。
【０１０２】
本開示およびその利点を詳細に説明したが、添付の特許請求の範囲によって定義される本開示の趣旨および範囲から逸脱することなく、本明細書においてさまざまな変更、置換、および改変を行うことができることを理解されたい。
【符号の説明】
【０１０３】
100  無線通信システム
105  eNB
107  カバレッジエリア
110  UE
115  eNB
117  カバレッジエリア
200  無線通信システム
205  マクロeNB
207  カバレッジエリア
215  第1の低電力eNB
217  カバレッジエリア
225  第2の低電力eNB
227  カバレッジエリア
230  UE
250  無線通信システム
255  マクロeNB
257  カバレッジエリア
265  第1の低電力eNB
267  カバレッジエリア
275  第2の低電力eNB
280  UE
300  メッセージ交換図
305  UE
310  ソースeNB
315  ターゲットeNB
400  メッセージ交換図
405  UE
410  ソースeNB
415  ターゲットeNB
800  メッセージ交換図
805  UE
810  ソースeNB
815  ターゲットeNB
1000  処理システム
1004  プロセッサ
1006  メモリ
1010  インタフェース
1012  インタフェース
1014  インタフェース
1100  トランシーバ
1102  ネットワーク側インタフェース
1104  カプラ
1106  送信機
1108  受信機
1110  信号プロセッサ
1112  デバイス側インタフェース
【図１Ａ】
2019512959.tif 000003
【図１Ｂ】
2019512959.tif 000004
【図１Ｃ】
2019512959.tif 000005
【図２Ａ】
2019512959.tif 000006
【図２Ｂ】
2019512959.tif 000007
【図３】
2019512959.tif 000008
【図４】
2019512959.tif 000009
【図５Ａ】
2019512959.tif 000010
【図５Ｂ】
2019512959.tif 000011
【図５Ｃ】
2019512959.tif 000012
【図６Ａ】
2019512959.tif 000013
【図６Ｂ】
2019512959.tif 000014
【図６Ｃ】
2019512959.tif 000015
【図７Ａ】
2019512959.tif 000016
【図７Ｂ】
2019512959.tif 000017
【図７Ｃ】
2019512959.tif 000018
【図８】
2019512959.tif 000019
【図９Ａ】
2019512959.tif 000020
【図９Ｂ】
2019512959.tif 000021
【図９Ｃ】
2019512959.tif 000022
【図１０】
2019512959.tif 000023
【図１１】
2019512959.tif 000024
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
デジタル通信のための方法であって、前記方法は、
ユーザ機器（UE）によって、前記UEが第2の通信コントローラに伝送した初期アップリンクメッセージの第1の構成情報を受信するステップであって、前記第1の構成情報は、第1のアップリンクリソースを示す第1のアップリンクリソース割り当てインジケータと、伝送電力レベルを示す伝送電力インジケータとを含み、前記第1の構成情報は第1の通信コントローラから受信される、ステップと、
前記UEによって、前記第1の構成情報に従って前記初期アップリンクメッセージを伝送するステップと
を含む、方法。
【請求項２】
前記伝送電力レベルが、前記第2の通信コントローラによって指定されるか、または前記第1および第2の通信コントローラによってネゴシエートされる、請求項1に記載の方法。
【請求項３】
前記UEによって、前記伝送電力インジケータの決定に関与するステップ
をさらに含む、請求項1または2に記載の方法。
【請求項４】
前記伝送電力レベルの決定に関与する前記ステップが、
前記UEによって、前記第2の通信コントローラが伝送した基準シーケンスを測定するステップと、
前記UEによって、前記測定された基準シーケンスに従って測定報告を伝送するステップと
を含む、請求項3に記載の方法。
【請求項５】
前記伝送電力レベルの決定に関与する前記ステップが、
前記UEによって、アップリンク測定シーケンス伝送のための第2の構成情報を受信するステップと、
前記UEによって、前記アップリンク測定シーケンス伝送のための前記第2の構成情報に従って基準シーケンスを伝送するステップと
をさらに含む、請求項3に記載の方法。
【請求項６】
前記UEによって、前記第2の通信コントローラと前記UEとの間のチャネルのダウンリンク経路損失を測定するステップと、
前記UEによって、前記ダウンリンク経路損失および前記第1の構成情報に従って前記初期アップリンクメッセージのための伝送電力レベルを調整するステップと
をさらに含む、請求項1から5のいずれか一項に記載の方法。
【請求項７】
前記UEによって、前記初期アップリンクメッセージを伝送するステップの前に、前記第2の通信コントローラとのダウンリンク同期を実行するステップ
をさらに含む、請求項1から6のいずれか一項に記載の方法。
【請求項８】
前記UEによって、前記第1の構成情報を受信するステップの前に、ハイブリッドタイミング情報の決定に関与するステップ
をさらに含む、請求項1から7のいずれか一項に記載の方法。
【請求項９】
前記ハイブリッドタイミング情報の決定に関与する前記ステップが、
前記UEによって、前記UEが伝送したアップリンクタイミングメッセージのための前記第1の通信コントローラから第3の構成情報を受信するステップであって、前記第3の構成情報は、第2のアップリンクリソース割り当てインジケータおよびタイミングシーケンスインジケータを含む、ステップと、
前記UEによって、前記第3の構成情報に従ってタイミングシーケンスを伝送するステップと
を含む、請求項8に記載の方法。
【請求項１０】
前記第1の構成情報が前記ハイブリッドタイミング情報をさらに含み、前記方法が、
前記UEによって、前記ハイブリッドタイミング情報に従ってタイミングアドバンスを調整するステップと、
前記UEによって、前記初期アップリンクメッセージを伝送するステップの前に、前記第2の通信コントローラとのダウンリンク同期を実行するステップと
をさらに含む、請求項8に記載の方法。
【請求項１１】
前記第1の通信コントローラがソース進化型NodeB（eNB）であり、前記第2の通信コントローラがターゲットeNBであり、前記初期アップリンクメッセージが、ハンドオーバ手順の一部として物理アップリンク共有チャネル（PUSCH）で伝送される、請求項1から10のいずれか一項に記載の方法。
【請求項１２】
第1の通信コントローラがマスタ進化型NodeB（MeNB）であり、前記第2の通信コントローラがセカンダリ進化型NodeB（SeNB）であり、前記UE、MeNB、およびSeNBがデュアル接続性の通信システムの一部である、請求項1から10のいずれか一項に記載の方法。
【請求項１３】
デジタル通信のための方法であって、前記方法は、
第1の通信コントローラによって、初期アップリンク伝送のためのリソース割り当ておよび伝送電力レベルを決定するステップと、
前記第1の通信コントローラによって、前記リソース割り当ておよび前記伝送電力レベルに関する情報を含むメッセージを第2の通信コントローラに伝送するステップと、
前記第1の通信コントローラによって、ユーザ機器からの前記リソース割り当ておよび前記伝送電力レベルに従って前記初期アップリンク伝送を受信するステップと
を含む、方法。
【請求項１４】
前記伝送電力レベルを決定するステップが、
前記第1の通信コントローラによって、ダウンリンクチャネル受信電力報告から前記伝送電力レベルを決定するステップ
を含む、請求項13に記載の方法。
【請求項１５】
前記伝送電力レベルを決定するステップが、
前記第1の通信コントローラによって、前記ユーザ機器からの受信基準信号に従ってアップリンクチャネルを測定するステップと、
前記第1の通信コントローラによって、前記測定されたアップリンクチャネルに従ってアップリンク経路損失を決定するステップと、
前記第1の通信コントローラによって、前記アップリンク経路損失に従って前記伝送電力レベルを決定するステップと
を含む、請求項13または14に記載の方法。
【請求項１６】
前記第1の通信コントローラによって、前記ユーザ機器から受信されたタイミングシーケンスに従ってハイブリッドタイミング情報を決定するステップと、
前記第1の通信コントローラによって、前記ハイブリッドタイミング情報を前記第2の通信コントローラに伝送するステップと
をさらに含む、請求項13から15のいずれか一項に記載の方法。
【請求項１７】
デジタル通信するのに適したユーザ機器（UE）であって、前記UEは、
プロセッサと、
前記プロセッサによる実行のためのプログラミングを格納するコンピュータ可読記憶媒体と、
を備え、前記プログラミングは、
前記UEが第2の通信コントローラに伝送した初期アップリンクメッセージの第1の構成情報を受信し、前記第1の構成情報は、第1のアップリンクリソースを示す第1のアップリンクリソース割り当てインジケータと、伝送電力レベルを示す伝送電力インジケータとを含み、前記第1の構成情報は第1の通信コントローラから受信され、
前記第1の構成情報に従って前記初期アップリンクメッセージを伝送する
ように、前記UEを構成するための命令を含む、UE。
【請求項１８】
前記プログラミングが、前記伝送電力インジケータの決定に関与するための命令を含む、請求項17に記載のUE。
【請求項１９】
前記プログラミングが、前記第2の通信コントローラが伝送した基準シーケンスを測定し、前記測定された基準シーケンスに従って測定報告を伝送するための命令を含む、請求項18に記載のUE。
【請求項２０】
前記プログラミングが、アップリンク測定シーケンス伝送のための第2の構成情報を受信し、前記アップリンク測定シーケンス伝送のための前記第2の構成情報に従って基準シーケンスを伝送するための命令を含む、請求項18に記載のUE。
【請求項２１】
前記プログラミングが、前記第2の通信コントローラと前記UEとの間のチャネルのダウンリンク経路損失を測定し、前記ダウンリンク経路損失および前記第1の構成情報に従って前記初期アップリンクメッセージの伝送電力レベルを調整するための命令を含む、請求項17から20のいずれか一項に記載のUE。
【請求項２２】
前記プログラミングが、前記UEが伝送したアップリンクタイミングメッセージについて前記第1の通信コントローラから第2の構成情報を受信し、前記第2の構成情報は、第2のアップリンクリソース割り当てインジケータおよびタイミングシーケンスインジケータを含み、前記第2の構成情報に従ってタイミングシーケンスを伝送するための命令を含む、請求項17から21のいずれか一項に記載のUE。
【請求項２３】
デジタル通信するのに適した第1の通信コントローラであって、前記第1の通信コントローラは、
プロセッサと、
前記プロセッサによる実行のためのプログラミングを格納するコンピュータ可読記憶媒体と、
を備え、前記プログラミングは、
初期アップリンク伝送のためのリソース割り当ておよび伝送電力レベルを決定し、
前記リソース割り当ておよび前記伝送電力レベルに関する情報を含むメッセージを第2の通信コントローラに伝送し、
ユーザ機器からの前記リソース割り当ておよび前記伝送電力レベルに従って前記初期アップリンク伝送を受信する
ように、前記第1の通信コントローラを構成するための命令を含む、第1の通信コントローラ。
【請求項２４】
前記プログラミングが、ダウンリンクチャネル受信電力報告から前記伝送電力レベルを決定するための命令を含む、請求項23に記載の第1の通信コントローラ。
【請求項２５】
前記プログラミングが、前記ユーザ機器から受信した基準信号に従ってアップリンクチャネルを測定し、前記測定されたアップリンクチャネルに従ってアップリンク経路損失を決定し、前記アップリンク経路損失に従って前記伝送電力レベルを決定するための命令を含む、請求項23または24に記載の第1の通信コントローラ。
【請求項２６】
前記プログラミングが、前記ユーザ機器から受信したタイミングシーケンスに従ってハイブリッドタイミング情報を決定し、前記第2の通信コントローラに前記ハイブリッドタイミング情報を伝送するための命令を含む、請求項23から25のいずれか一項に記載の第1の通信コントローラ。
【請求項２７】
請求項1から16のいずれか一項に記載の方法を実行するように適合されたコンピュータプログラム。
【国際調査報告】
2019512959.tif 000025
2019512959.tif 000026